(57)【特許請求の範囲】
【請求項１】
方形状の底板の四辺部より立ち上げた周壁に囲まれた電子部品収容部を有するソケットハウジングと、
前記ソケットハウジングの底板より突出して前記電子部品収容部内の電子部品の底部における複数の端子部とそれぞれ弾性的に接触して電気的に接続される弾性接触片を有する複数のコンタクトと、
前記ソケットハウジングの周壁の複数箇所に設けられ、前記電子部品収容部に挿入される電子部品の周壁を凹ませた係止凹部である電子部品側係合部と係合してこれを抜け止めする、電子部品収容部内にそれぞれ突出して前記ソケットハウジングの周壁に設けられた弾性固定片を有したソケット側係合部とを備え、
これらのソケット側係合部が前記電子部品側係合部に係合されることによって、前記弾性固定片でロックがかかって前記電子部品が前記電子部品収容部内から抜け止めされる構造の電子部品取付用ソケットであって、
複数の前記ソケット側係合部は、前記ソケットハウジングの四辺部の前記周壁の相対向する二辺部のそれぞれに、1又は複数を前記ソケットハウジングの電子部品収容部中央に対して対称とならない位置に設置することにより、前記電子部品が所定の向き以外の方向に挿入された際に、前記ソケット側係合部が前記電子部品側係合部に整合せず、前記弾性固定片でロックがかからないと共に、前記複数のコンタクトを構成する弾性接触片の弾性により、前記電子部品を押し出すようにした
電子部品取付用ソケット。
【請求項２】
前記ソケット側係合部は、前記ソケットハウジングの四辺部の前記周壁の相対向する二辺部のうちの一方の辺部に対してはその両端側に片寄せて複数が相互間に間隔を開けて配置され、残りの他方の辺部にはその中央側に片寄せて１又は複数が配置されている請求項１に記載の電子部品取付用ソケット。
【請求項３】
前記周壁の相対向する二辺部のうちの一方の辺部にその両端側に片寄せて配置された複数の前記ソケット側係合部は二個であり、前記周壁の相対向する二辺部のうちの他方の辺部に中央側に片寄せて配置された複数の前記ソケット側係合部は二個であることを特徴とする請求項１又は２に記載の電子部品取付用ソケット。
【発明の詳細な説明】
【技術分野】
【０００１】
本発明は、携帯電話機等で用いるカメラモジュール等のセンサモジュールや半導体素子等の電子部品をプリント配線基板に電気的に接続した状態で取り付けるための電子部品取付用ソケットに関する。
【背景技術】
【０００２】
従来、携帯電話機等の電子機器は、その内部にプリント配線基板を備え、そのプリント配線基板にセンサモジュールや、その他の半導体素子等の電子部品を取り付けるようになっている。この場合、熱に弱い電子部品は、直接半田付けによって取り付けることができないので、電子部品取付用ソケットを用いてプリント配線基板に接続している。
【０００３】
電子部品取付用ソケットは、方形状の底板の四辺部より立ち上げた周壁に囲まれた電子部品収容部を有するソケットハウジングと、該ソケットハウジングの底板より突出して電子部品収容部内のセンサモジュールや半導体素子等の電子部品の底部における端子部と弾性的に接触する弾性接触片を有する複数のコンタクトとを備え、センサモジュールや半導体素子等の電子部品を電子部品収容部に保持させることによって、電子部品の各端子部が各コンタクトの弾性接触片と接触し、これらコンタクトを介してプリント配線基板に電気的に接続されるようになっている。
【０００４】
また、この電子部品取付用ソケットは、ソケットハウジングの周壁に、電子部品収容部内に突出し、先端の固定突起が電子部品の周壁の係止凹部の底部に係止される弾性固定片を有する複数のソケット側係合部を備え、これらのソケット側係合部により電子部品を電子部品収容部内に保持するようになっている。
【０００５】
従来の電子部品取付用ソケットの複数のソケット側係合部は、方形状の底板の四辺部より立ち上げた四角形の周壁の各辺部のコーナ部寄り位置に一個ずつ対称配置されたもの（例えば、特許文献１参照。）とか、四角形の周壁の四辺部のそれぞれに相互間に間隔を開けて二個ずつ配置されたもの（例えば、特許文献２参照。）とかがあった。
【特許文献１】特開２００５−１５００５２号公報  図２
【特許文献２】特開２００６−７９８７１号公報  図２
【発明の開示】
【発明が解決しようとする課題】
【０００６】
しかしながら、電子部品取付用ソケットに対するこれらのソケット側係合部の対称配置では、電子部品をソケットハウジングの電子部品収容部内に挿入する際に、１８０度逆向きに挿入しても各ソケット側係合部で電子部品がロックされることになり、常に正しい向きでの接続が保証できない問題点があった。
【０００７】
本発明の目的は、電子部品を常に正しい向きで接続することができる電子部品取付用ソケットを提供することにある。
【課題を解決するための手段】
【０００８】
上述の如き従来の問題を解決し、所期の目的を達成する請求項１に記載の発明の特徴は、
方形状の底板の四辺部より立ち上げた周壁に囲まれた電子部品収容部を有するソケットハウジングと、前記ソケットハウジングの底板より突出して前記電子部品収容部内の電子部品の底部における複数の端子部とそれぞれ弾性的に接触して電気的に接続される弾性接触片を有する複数のコンタクトと、前記ソケットハウジングの周壁の複数箇所に設けられ、前記電子部品収容部に挿入される電子部品の周壁を凹ませた係止凹部である電子部品側係合部と係合してこれを抜け止めする、電子部品収容部内にそれぞれ突出して前記ソケットハウジングの周壁に設けられた弾性固定片を有したソケット側係合部とを備え、これらのソケット側係合部が前記電気部品係合部に係合されることによって、前記弾性固定片でロックがかかって前記電子部品が前記電子部品収容部内から抜け止めされる構造の電子部品取付用ソケットであって、
複数の前記ソケット側係合部は、前記ソケットハウジングの四辺部の前記周壁の相対向する二辺部のそれぞれに、1又は複数を前記ソケットハウジングの電子部品収容部中央に対して対称とならない位置に設置することにより、前記電子部品が所定の向き以外の方向に挿入された際に、前記ソケット側係合部が前記電子部品係合部に整合せず、前記弾性固定片でロックがかからないと共に、前記複数のコンタクトを構成する弾性接触片の弾性により、前記電子部品を押し出すようにしたことを特徴とする。
【０００９】
請求項２に記載の発明は、請求項１の構成に加え、前記ソケット側係合部は、前記ソケットハウジングの四辺部の前記周壁の相対向する二辺部のうちの一方の辺部に対してはその両端側に片寄せて複数が相互間に間隔を開けて配置され、残りの他方の辺部にはその中央側に片寄せて１又は複数が配置されていることを特徴とする。
【００１０】
請求項３に記載の発明は、請求項１又は２の構成に加え、前記周壁の相対向する二辺部のうちの一方の辺部にその両端側に片寄せて配置された複数の前記ソケット側係合部は二個であり、前記周壁の相対向する二辺部のうちの他方の辺部に中央側に片寄せて配置された複数の前記ソケット側係合部は二個であることを特徴とする。
【発明の効果】
【００１２】
本発明に係る電子部品取付用ソケットでは、複数の前記ソケット側係合部は、前記ソケットハウジングの四辺部の前記周壁の相対向する二辺部のそれぞれに、1又は複数を前記ソケットハウジングの電子部品収容部中央に対して対称とならない位置に設置することにより、前記電子部品が所定の向き以外の方向に挿入された際に、前記ソケット側係合部が前記電子部品係合部に整合されないようにしたことにより、電子部品を正しい向きで電子部品収容部内に挿入したときのみ各ソケット側係合部と各電子部品係合部とが係合しロックがかかり、それ以外の時にはロックがかからず複数のコンタクトの各弾性接触片の弾性で押し出されて正しくない向きでの挿入とわかる。このため本発明によれば、電子部品を常に正しい向きで電子部品取付用ソケット内に挿入して電気的に接続することができる。
さらに、所定の向き以外で電子部品を挿入すると該弾性固定片により挿入し難く、正しい向きで挿入した際は挿入が容易でありながら挿入後は前記弾性固定片が電子部品周壁の係止凹部に係止され安定したロック状態となる。
【００１３】
また、前記ソケット側係合部は、前記ソケットハウジングの四辺部の前記周壁の相対向する二辺部のうちの一方の辺部に対してはその両端側に片寄せて複数が相互間に間隔を開けて配置され、残りの他方の辺部にはその中央側に片寄せて１又は複数が配置されていることにより、各ソケット側係合部の配置がほぼ三角配置となって、安定した姿勢で電子部品をロックすることができる。
【００１４】
更に、前記周壁の相対向する二辺部のうちの一方の辺部にその両端側に片寄せて配置された複数の前記ソケット側係合部は二個であり、前記周壁の相対向する二辺部のうちの他方の辺部に中央側に片寄せて配置された複数の前記ソケット側係合部は二個であることにより、電子部品のロック状態がより安定した状態となる。
【発明を実施するための最良の形態】
【００１６】
次に、本発明に係る電子部品取付用ソケットの具体例を図面を参照して詳細に説明する。
【００１７】
図１乃至図４は本発明に係る電子部品取付用ソケットの一例を示したもので、図１は本例の電子部品取付用ソケットの正面図、図２は該ソケットの背面図、図３は図１のＡ−Ａ′線断面図、図４は図１のＢ−Ｂ′線断面図である。図５乃至図８は本例の電子部品取付用ソケットに挿入されるカメラモジュール等の電子部品の第１例を示したもので、図５は該電子部品の正面図、図６は図５の底面図、図７は図５の右側面図、図８は図５の背面図である。
【００１８】
本例の電子部品取付用ソケット１は、方形状の底板２の周囲の四辺部より立ち上げた四辺部３ａ〜３ｄからなる周壁３に囲まれた電子部品収容部４を有するソケットハウジング５と、該ソケットハウジング５の底板２より突出して電子部品収容部４内の電子部品６の底部６ａにおける複数の端子部７とそれぞれ弾性的に接触して電気的に接続される弾性接触片８ａを有する複数のコンタクト８を備え、ソケットハウジング５の周壁３の複数箇所に設けられて、電子部品収容部４内に形成されたソケット側係合部９と電子部品６の周壁６ｂに設けられた電子部品側係合部１０とがそれぞれ係合し、これらのソケット側係合部９により電子部品６が電子部品収容部４内に保持される構造になっている。
【００１９】
ソケットハウジング５は、平板状をした方形状の底板２と、この底板２の四辺部より立ち上げられた四辺部３ａ〜３ｄの周壁３とを備え、底板２と四辺部３ａ〜３ｄの周壁３とで囲まれて電子部品収容部４が形成されている。
【００２０】
底板２には、四辺部の各辺部のうちの対向する二辺部より互いに相手側の辺部に向けた複数のスリット状の複数の貫通孔１１が平行に並べて形成されている。これらの貫通孔１１に弾性接触片８ａが嵌って上下動するようになっている。
【００２１】
周壁３の四辺部３ａ〜３ｄは、その外周が導電材からなるシールド板１２で覆われている。
【００２２】
ソケット側係合部９は電子部品収容部４内にそれぞれ突出して、先端の固定突起９ａが電子部品６の周壁６ｂに凹状に形成された各電子部品側係合部１０の底部１０ａに係止される弾性固定片９ｂを有し、複数のソケット側係合部９が、ソケットハウジング５の四辺部３ａ〜３ｄの周壁３の相対向する二辺部３ｂ，３ｄに、互いに非対称な配置に２個ずつ設けられており、該二辺部３ｂ，３ｄのうちの一方の辺部３ｄに対してはその両端側に片寄せて複数が相互間に間隔を開けて配置され、残りの他方の辺部３ｂにはその中央側に片寄せて互いに隣接させた配置に複数が配置されている。特に本例では、周壁３の相対向する二辺部３ｂ，３ｄのうちの一方の辺部３ｄに相互間に間隔を開けて配置された複数のソケット側係合部９は二個であり、周壁３の相対向する二辺部３ｂ，３ｄのうちの他方の辺部３ｂに中央側に隣接させて配置された複数のソケット側係合部９は二個である。
【００２３】
このような電子部品取付用ソケット１では、複数のソケット側係合部９が、ソケットハウジング５の四辺部３ａ〜３ｄの周壁３の相対向する二辺部３ｂ，３ｄのうちの一方の辺部３ｄに対しては、両端側に片寄せて複数が、相互間に間隔を開けて配置され、残りの他方の辺部３ｂにはその中央側に片寄せて互いに隣接させた配置に複数が配置されているので、電子部品６を正しい向きで電子部品収容部４内に挿入したときのみソケット側係合部９で押さえられてロックがかかり、それ以外の時にはロックがかからず複数のコンタクト８の各弾性接触片８ａの弾性で押し出されて正しくない向きでの挿入とわかる。このため本発明によれば、電子部品６を常に正しい向きで電子部品取付用ソケット１内に挿入して電気的に接続することができる。
【００２４】
特に、周壁３の相対向する二辺部３ｂ，３ｄのうちの一方の辺部３ｄに相互間に間隔を開けて配置された複数のソケット側係合部９を二個とし、周壁３の相対向する二辺部３ｂ，３ｄのうちの他方の辺部３ｂに中央側に隣接させて配置された複数のソケット側係合部９を二個とすると、各ソケット側係合部９の配置がほぼ三角配置となって、安定した姿勢で電子部品６をロックすることができる。
【００２５】
なお、一方の辺部３ｄに相互間に間隔をあけて配置するソケット側係合部９の数は二個に限定されるものではなく三個等であってもよく、また他方の辺部３ｂに隣接させて配置するソケット側係合部９の数は二個に限定されるものではなく一個でも、三個であってもよい。また、四辺部３ａ〜３ｄの周壁３にあってソケット側係合部９が設置される互いに相対向する二辺部は、二辺部３ａ，３ｃであってもよい。
【００２６】
また、電子部品６が安定したロック状態となれば、ソケット側係合部９と電子部品側係合部１０の係合形状は図１の形状に限定されるものではなく、図９に示すように、ソケット側係合部９は電子部品収容部４内に弾性固定片９ｂと係止孔９ｃを備え、電子部品６の周壁６ｂの電子部品側係合部１０は係止孔９ｃに挿入され係止される係止突起１０ｃを有した形状であってもよい。
【図面の簡単な説明】
【００２７】
【図１】本発明に係る電子部品取付用ソケットの一例の正面図である。
【図２】本例のソケットの背面図である。
【図３】図１のＡ−Ａ′線断面図である。
【図４】図１のＢ−Ｂ′線断面図である。
【図５】本例の電子部品取付用ソケットに挿入されるカメラモジュール等の電子部品の第１例を示した正面図である。
【図６】図５の底面図である。
【図７】図５の右側面図である。
【図８】図５の背面図である。
【図９】本発明に係る電子部品取付用ソケットの他の一例を示す断面図である。
【符号の説明】
【００２８】
１  電子部品取付用ソケット
２  底板
３  周壁
３ａ〜３ｄ  四辺部
４  電子部品収容部
５  ソケットハウジング
６  電子部品
６ａ  底部
６ｂ  周壁
７  端子部
８  コンタクト
８ａ  弾性接触片
９  ソケット側係合部
９ａ  固定突起
９ｂ  弾性固定片
９ｃ  係止孔
１０  電子部品側係合部
１０ａ  底部
１０ｃ  係止突起
１１  貫通孔
１２  シールド板
【図１】
0004516938.tif 000002
【図２】
0004516938.tif 000003
【図３】
0004516938.tif 000004
【図４】
0004516938.tif 000005
【図５】
0004516938.tif 000006
【図６】
0004516938.tif 000007
【図７】
0004516938.tif 000008
【図８】
0004516938.tif 000009
【図９】
0004516938.tif 000010